(57)【要約】【課題】従来の構内無線システムでは、端末の増設時には手動で端末のパラメータを登録しなければならず、登録作業が煩雑で不便であるという問題点があり、端末の追加登録を容易にして端末増設時の利便性を向上させることができる構内無線システムを提供する。【解決手段】制御装置１が、ＥＥＰＲＯＭ１３にパラメータ未登録の端末３から位置登録要求を受信した際に、パラメータを一旦記憶しておき、認証要求として固定データを送信した場合に、端末３から当該固定データに対応して予め記憶されている認証応答用の固定データと同一のデータが返信された場合に、一旦記憶しておいたパラメータを当該端末３のパラメータとしてＥＥＰＲＯＭ１３に記憶する構内無線システムとしている。【選択図】　　　　図１
2004023426.tif 000002
【特許請求の範囲】
【請求項１】
端末毎のパラメータを登録し、前記パラメータを用いて交換制御を行う制御装置と、前記制御装置に接続され、前記端末と無線通信を行う基地局とを備えた構内無線システムであって、
前記制御装置は、パラメータが登録されていない端末から位置登録要求を受信した場合に、前記位置登録要求に含まれるパラメータを一時的に記憶部に記憶して、前記端末に対して認証要求データを送信し、前記端末から返信された認証応答データが、前記認証要求データに対応して予め記憶されている認証応答用の固定データと一致した場合に、前記端末の位置登録を許可すると共に、前記一時的に記憶しておいたパラメータを前記端末のパラメータとして登録する制御装置であることを特徴とする構内無線システム。
【発明の詳細な説明】
【０００１】
【発明の属する技術分野】
本発明は、ＰＨＳ等を用いた構内無線システムに係り、特に端末の追加登録を容易に行うことができ、利便性を向上させることができる構内無線システムに関する。
【０００２】
【従来の技術】
構内事業所ＰＨＳシステム等の構内無線システムは、工場等を持つ事業所が役所に特別な許可を受けないでも割り当てられた周波数内でＰＨＳの電話を使用することができるシステムである。事業所内で使用する分については、公衆通信事業者に使用料を支払う必要がなく、例えば石油化学や鉄鋼等の工場では広く用いられているものである。
【０００３】
一般的な構内無線システムの構成について図３を用いて説明する。図３は、構内無線システムの概略構成ブロック図である。
図３に示すように、同一事業所内で展開されるＰＨＳ等を用いた構内無線システムは、事業所内の構内無線システムの制御を行う制御装置１′と、構内各所に設けられ、制御装置１に接続されて端末３と無線通信を行う基地局（ＢＳ；ＢａｓｅＳｔａｔｉｏｎ）２′と、構内の利用者が携帯して通信に用いるＰＨＳ（Ｐｅｒｓｏｎａｌ　Ｈａｎｄｙｐｈｏｎｅ　Ｓｙｓｔｅｍ）等の無線端末である端末（ＰＳ；Ｐｅｒｓｏｎａｌ　Ｓｔａｔｉｏｎ）３とから構成されている。尚、図には示していないが、制御装置１′には一般的な固定電話機やＦＡＸ等の通信装置も接続されている場合が多い。
【０００４】
ここで、制御装置１′について具体的に説明する。
制御装置１′は、構内各所に配置された固定電話機や端末３を内線番号で接続できるよう管理制御すると共に、外部の公衆回線や専用線と接続して、外部の電話やＦＡＸとの通信及び別の構内通信システム（支店など）との通信を行うものである。
【０００５】
そして、制御装置１′は、複数の基地局２′と接続されて当該基地局２′と固定電話機などとの通信プロトコルの変換を行う通信プロトコル制御装置１１と、全ての通信プロトコル制御装置１１と接続されて、回線交換を制御する回線交換装置１２′とから構成されている。更に、回線交換装置１２′には、通信に必要なパラメータを端末毎に記憶しているＥＥＰＲＯＭ１３が設けられている。パラメータとしては、端末３の識別情報である「ＰＳ−ＩＤ」と、端末３の電話番号としての「ＰＳ番号」及び「内線番号」と、認証情報としての「認証種別」とがある。
【０００６】
そして、従来の構内無線システムにおいては、端末のパラメータを予め制御装置１′のＥＥＰＲＯＭ１３に登録しておき、登録されている端末３のみが使用できるようになっていた。パラメータの登録は、通常、顧客にシステムを導入する前に、特定の冶具（パラメータ設定冶具）を用いてオペレータが手動で制御装置１′の回線交換装置１２′のＥＥＰＲＯＭ１３に登録しておくようになっていた。
【０００７】
そして、端末３の電源が投入された場合には、端末３が、制御装置１′に対して自己のパラメータを含む位置登録要求を送信して、制御装置１′が端末のパラメータをＥＥＰＲＯＭ１３に登録されているパラメータと比較して、一致した場合にのみ位置登録が行われ、端末３が使用可能となるものである。
【０００８】
次に、従来の構内無線システムにおける端末３の電源投入時の位置登録シーケンスについて図４を用いて具体的に説明する。図４は、従来の構内無線システムにおける端末電源投入時の位置登録シーケンスを示す説明図である。
図４に示すように、端末３（ＰＳ）において電源が投入されると（電源ＯＮ）、ＰＳから位置登録要求が送出される（２００）。位置登録要求は、基地局（ＢＳ）２′に受信され、更に基地局２′は、受信した位置登録要求を制御装置１′に送信する（２０２）。ここで、位置登録要求中には、端末３のパラメータが含まれている。
【０００９】
そして、制御装置１′において位置登録要求が受信されると、制御装置１′は、位置登録要求に含まれる端末３のパラメータが、予めＥＥＰＲＯＭ１３に登録されているかどうかを判断し（２０４）、登録されていなければ、当該端末３に位置登録拒否を送信し（２０６）、基地局２′で中継されて端末３に受信される（２０８）。
【００１０】
また、処理２０４において、端末３のパラメータが制御装置１′のＥＥＰＲＯＭ１３に登録されていた場合には、制御装置１′は、当該ＰＳに位置登録応答を送信し（２１０）、更に、制御装置１′は、端末３に認証要求を送信する（２１４）。
【００１１】
端末３が基地局２′に中継された位置登録応答と認証要求を受信すると（２１２、２１６）、端末３は、予め定められた方法で認証応答を送信し（２１８）、認証応答は、基地局２′を介して制御装置１′に受信される（２２０）。制御装置１′が認証応答を受信すると、制御装置１′は、認証演算結果が正常かどうかを判断する（２２２）。
【００１２】
認証演算結果が正常でなければ、制御装置１′は当該端末３に位置登録拒否（位置登録ＮＧ）を送信し（２２４）、基地局２′を介してＰＳに受信される（２２６）。
また、処理２２２において認証演算結果が正常であった場合には、制御装置１′は、当該端末３を基地局２′に位置登録して、端末３に位置登録許可（位置登録ＯＫ）を送信し（２２８）、端末３が位置登録ＯＫを受信すると（２３０）、通信可能状態となるものである。
このようにして従来の構内無線システムにおける端末の電源投入時の位置登録シーケンスが行われるものである。
【００１３】
従って、従来の構内無線システムにおいては、パラメータが制御装置１′のＥＥＰＲＯＭ１３に記憶されていない端末は、位置登録を行うことができず、使用不可能となってしまうため、新たに端末を増設する場合には専用の冶具を用いて手動で制御装置１′にパラメータを登録する必要があった。
【００１４】
構内無線システムの従来技術としては、平成１１年９月１７日公開の特開平１１−２５２６１２号「無線式構内交換機及び無線通信システム」（出願人：日本電気株式会社、発明者：井上雅由）がある。
この従来技術は、１台の構内用の中継ＣＳを公衆ＣＳのサービスエリア内に設置することにより、構内にいるＰＳが、構内用の中継ＣＳ、構内交換機、公衆ＣＳのエリア内に設置された中継ＣＳ、公衆ＣＳを介して公衆ＰＨＳ網に直接アクセスすることができるようにしたものである。
【００１５】
【発明が解決しようとする課題】
しかしながら、従来の構内無線システムでは、予めシステム側の制御装置に端末のパラメータを登録しておかなければ使用できないため、端末の増設時には専用の冶具を用いて手動で登録しなければならず、登録作業が煩雑で不便であるという問題点があった。
【００１６】
本発明は上記実情に鑑みて為されたもので、システム側の制御装置に予め登録されていない端末であっても、手動で端末のパラメータを登録することなく容易にパラメータを制御装置に登録して通信可能とすることができ、追加登録を容易にして端末増設時の利便性を向上させることができる構内無線システムを提供することを目的とする。
【００１７】
【課題を解決するための手段】
上記従来の問題点を解決するための本発明は、端末毎のパラメータを登録し、当該パラメータを用いて交換制御を行う制御装置と、制御装置に接続され、端末と無線通信を行う基地局とを備えた構内無線システムであって、制御装置は、パラメータが登録されていない端末から位置登録要求を受信した場合に、位置登録要求に含まれるパラメータを一時的に記憶部に記憶して、当該端末に対して認証要求データを送信し、端末から返信された認証応答データが、認証要求データに対応して予め記憶されている認証応答用の固定データと一致した場合に、当該端末の位置登録を許可すると共に、一時的に記憶しておいたパラメータを当該端末のパラメータとして登録する制御装置である構内無線システムとしており、パラメータが未登録の端末であっても、制御装置と同一のプロトコルで、予め決められた認証要求に対して決められた認証応答をすれば、制御装置が本システムに適用可能な端末であると認識して、端末から送信されたパラメータを用いて自動登録することができ、端末増設時等、端末を追加登録する際の手動の登録作業を無くし、登録操作を容易にして利便性を向上させることができる。
【００１８】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１９】
本発明に係る構内無線システムは、制御装置にパラメータを登録していない端末から位置登録要求があった場合に、当該端末が制御装置と同一のプロトコルで、且つ制御装置からの認証要求データに対して予め決められた特定のデータを応答した場合には位置登録要求中に含まれるパラメータを制御装置に登録するものであり、制御装置にパラメータを登録していない未登録の端末について、手動の作業でパラメータを登録しなくても済み、自動でパラメータの設定を行って、端末増設時に新規端末を容易に登録して使用可能とすることができ、利便性を向上させることができる構内無線システムである。
【００２０】
まず、本発明の実施の形態に係る携帯端末応用システム（本システム）の構成について図１を用いて説明する。図１は、本発明の実施の形態に係る構内無線システムの構成ブロック図である。尚、図３と同様の構成を取るものについては同一の符号を付して説明する。
図１に示すように、本システムの基本的な構成は図３に示した従来の構内無線システムとほぼ同様の構成であり、制御装置１と、基地局（ＢＳ；Ｂａｓｅ　Ｓｔａｔｉｏｎ）２と、端末（ＰＳ；Ｐｅｒｓｏｎａｌ　Ｓｔａｔｉｏｎ）３とから構成されている。尚、図示は省略するが、制御装置１には一般的な固定電話機やＦＡＸ等の通信装置も接続されている場合が多い。そして、本システムでは、制御装置１及び基地局２の動作が従来とは一部異なっている。
【００２１】
次に、本システムの特徴部分について具体的に説明する。
制御装置１は、従来と同様の部分として、構内の端末や固定電話同士、又は構内の端末や固定電話と、外部の電話機とを公衆回線や専用線を介して接続し、通信を行うものである。
そして、制御装置１は、従来と同様に、プロトコルの変換を行う通信プロトコル制御装置１１と回線交換制御を行う回線交換装置１２と、端末毎のパラメータを記憶しているＥＥＰＲＯＭ１３とを備えている。端末毎のパラメータとしては、ＰＳ−ＩＤと、ＰＳ番号と、内線番号と、認証種別を記憶しており、制御装置１は、ＥＥＰＲＯＭ１３に記憶されているパラメータに基づいて回線接続の制御等システムの運営を行うものである。
【００２２】
そして、本システムの制御装置１は、ＥＥＰＲＯＭ１３へのパラメータの登録方法が従来とは異なっている。具体的には、従来の制御装置１′では外部から専用冶具を用いて手動で登録するしかなかったが、本システムでは、従来と同様に手動で登録するのに加えて、回線交換装置１２が、パラメータ未登録の端末３から位置登録要求を受信した場合の位置登録シーケンスにおいて、当該端末３がこの構内無線システムに適合する端末であると判断した場合に、当該位置登録要求に含まれるパラメータをＥＥＰＲＯＭ１３に記憶するようにしているものである。
【００２３】
つまり、構内無線システムに端末を増設しようとする場合には、通常、当該構内無線システムにおいて用いられる通信プロトコルが予め設定されている端末を導入するのが一般的であり、また、端末の電源投入時に送信される位置登録要求には端末自身のパラメータが含まれているため、本システムでは、この点を利用して、システムと同一のプロトコルに従って正常な通信を行うことができる端末であれば、端末から送信されるパラメータをそのまま用いて制御装置へパラメータの登録を行うようにしたものである。
【００２４】
具体的な登録方法については後で説明するが、本システムでは、制御装置１の回線交換装置１２に、ＥＥＰＲＯＭ１３にパラメータが登録されていない端末３からの位置登録要求を受信した場合の認証要求用のデータ（認証要求データ）として、乱数発生させた固定データを記憶している。また、当該認証要求データに対する認証応答データとして特定の固定データを記憶しており、端末端末３からの認証応答が正常かどうかを判断するようにしている。
【００２５】
また、同様に、追加登録可能な端末３側では、認証要求として特定の固定データを受信した場合には、予め記憶された認証応答用の固定データを送信するよう、プログラムされているものである。
【００２６】
更に、本システムの基地局２には、認証応答用の固定データが記憶されており、当該固定データを端末端末３から受信した場合には、端末３からのリンクチャネル確立要求受信時に記憶しておいたＰＳ−ＩＤを付加して制御装置１に送信する点が特徴となっている。
【００２７】
次に、本システムの特徴部分である、制御装置１における端末３のパラメータ登録方法について図２を用いて説明する。図２は、本システムにおける制御装置１のＥＥＰＲＯＭ１３へのパラメータ登録の動作を示すシーケンス説明図である。
図２に示すように、本システムでは、端末（ＰＳ）３の電源が投入されると、端末３からリンクチャネル確立要求が送信され（１００）、リンクチャネル確立要求は、当該端末３が位置するエリアをカバーする基地局（ＢＳ）２に受信される。
【００２８】
このとき、本システムの特徴として、基地局２がリンクチャネル確立要求に含まれるＰＳ−ＩＤを記憶しておき、リンクチャネル割り当てを行う（１０２）。
そして、端末３が位置登録要求を送信すると（１０４）、基地局２が位置登録要求を中継して制御装置１に送信する（１０６）。ここで、端末３から送信される位置登録要求中には、端末３からのＰＳ番号と、内線番号、認証種別の情報が含まれており、本システムの特徴として、制御装置１の回線交換装置１２は、受信した位置登録要求からＰＳ番号、内線番号、認証種別の情報を読み取って一時的にＥＥＰＲＯＭ１３の特定のエリアに記憶しておく。
【００２９】
そして、制御装置１の回線交換装置１２が、当該端末３のパラメータの情報が既にＥＥＰＲＯＭ１３に登録されているかどうかを判断し（１０８）、登録されている場合は、従来と同様に通常処理を行う（１１０）。
【００３０】
処理１０８において当該端末３のパラメータがまだＥＥＰＲＯＭ１３に登録されていなかった場合、本システムの特徴として、現時点でＥＥＰＲＯＭ１３に未登録であっても登録できる可能性があるので、制御装置１は、暫定的に位置登録応答を送信し（１１２）、認証要求として乱数発生させた固定データ（認証要求データ）を送信する（１１６）。
【００３１】
ここで、処理１１０に示した通常の認証要求では、制御装置１は、任意乱数のデータを送信して端末３からの応答をチェックするが、ＥＥＰＲＯＭ１３に未登録の端末３に対しては、予め認証要求データとして決められた固定データを送信するようにしている。
【００３２】
そして、本システムに適用可能な端末３には、予め、制御装置１から送信される固定データと当該固定データを受信した際の処理が記憶されており、また、予め設定されている通信プロトコルに従ってシステムと通信を行うことが可能となっているため、乱数発生させた固定データの認証要求を、端末３が基地局２を介して受信すると（１１８）、端末３は、認証要求の伝文内容が通常の乱数データか、予め記憶されている固定データかを判断し（１２０）、通常の乱数データであった場合には、通常処理の認証応答を行う（１２２）。
【００３３】
また、処理１２０において、認証要求の伝文内容が固定データであった場合には端末３は自身のパラメータが制御装置１に登録されていないことを認識して、システム側と予め取り決めた固定データを認証応答（認証応答データ）として送信する（１２４）。
【００３４】
そして、基地局２が認証応答として端末３から固定データを受信した場合、基地局２は、当該端末３が制御装置１において新たにパラメータ登録される可能性があるとして、処理１００のリンクチャネル確立要求受信時に取得して記憶しておいたＰＳ−ＩＤを、認証応答に付加して制御装置１に送信する（１２６）。
【００３５】
制御装置１の回線交換装置１２は、認証応答を受信すると、認証応答内のデータが予め認証要求の固定データに対応して記憶されている認証応答用の固定データであるかどうかを判断し（１３２）、一致した場合（認証応答内のデータが正常である場合）、当該端末３に位置登録ＯＫを送信し（１３６）、処理１０２において回線交換装置１２内に一時的に記憶しておいた端末３のパラメータをＥＥＰＲＯＭ１３に書き込む（１４０）。これで、制御装置１への端末３のパラメータ登録が完了したので、次回からは通常通りの位置登録を行うことができるものである。
【００３６】
そして、端末３で、位置登録ＯＫを受信すると（１３８）、通常の通信を行うことができるようになる。このようにして、本システムにおける制御装置１のＥＥＰＲＯＭ１３へのパラメータ登録の動作が行われるものである。
【００３７】
これにより、本システムでは、制御装置１のＥＥＰＲＯＭ１３にパラメータが未登録の端末３であっても、通信プロトコルが一致し、且つ制御装置１からの認証要求に対して特定のデータを応答した場合には、制御装置１の回線交換装置１２が、当該端末３はその構内無線システムに適合する端末であると判断して、当該位置登録要求に含まれるパラメータをＥＥＰＲＯＭ１３に記憶するようにして、端末の増設時等、端末の追加登録を行う際に、手動で制御装置１にパラメータ登録を行わなくても、自動的にパラメータ登録を行うことができるものである。
【００３８】
本発明の実施の形態に係る構内無線システムによれば、基地局２が、端末３からリンクチャネル確立要求を受信すると、それに含まれるＰＳ−ＩＤを記憶しておき、制御装置１の回線交換装置１２が、ＥＥＰＲＯＭ１３にパラメータ未登録の端末３から位置登録要求を受信した際に、ＰＳ番号、内線番号、認証種別のパラメータを一旦記憶しておき、暫定的に位置登録応答を送信し、認証要求として固定データを送信した場合に、端末３から当該固定データに対応して予め記憶されている認証応答用の固定データと基地局２において付加されたＰＳ−ＩＤとが返信されると、そのＰＳ−ＩＤと、一旦記憶しておいたＰＳ番号、内線番号、認証種別とを当該端末３のパラメータとしてＥＥＰＲＯＭ１３に記憶するようにしているので、予め制御装置１にパラメータ登録していない端末であっても、プロトコルが同じで当システムで制御装置１と端末３とで取り決めたシーケンスに従って通信を行うことができる端末であれば、端末側から送信されるパラメータを用いて制御装置１にパラメータを登録することができ、顧客にシステムを導入した後で端末を増設する場合等、端末の追加登録を行う際に、手動で制御装置１にパラメータ登録を行う必要がなくなり、端末の追加登録が容易になり、利便性を向上させることができる効果がある。
【００３９】
【発明の効果】
本発明によれば、端末毎のパラメータを登録し、当該パラメータを用いて交換制御を行う制御装置と、制御装置に接続され、端末と無線通信を行う基地局とを備えた構内無線システムであって、制御装置は、パラメータが登録されていない端末から位置登録要求を受信した場合に、位置登録要求に含まれるパラメータを一時的に記憶部に記憶して、当該端末に対して認証要求データを送信し、端末から返信された認証応答データが、認証要求データに対応して予め記憶されている認証応答用の固定データと一致した場合に、当該端末の位置登録を許可すると共に、一時的に記憶しておいたパラメータを当該端末のパラメータとして登録する制御装置である構内無線システムとしているので、パラメータが未登録の端末であっても、制御装置と同一のプロトコルで、予め決められた認証要求に対して決められた認証応答をすれば、制御装置が本システムに適用可能な端末であると認識して、端末から送信されたパラメータを用いて自動登録することができ、端末増設時等、端末を追加登録する際の手動の登録作業を無くし、登録操作を容易にして利便性を向上させることができる効果がある。
【図面の簡単な説明】
【図１】本発明の実施の形態に係る構内無線システムの構成ブロック図である。
【図２】本システムにおける端末電源投入時の位置登録シーケンスを示す説明図である。
【図３】構内無線システムの概略構成ブロック図である。
【図４】従来の構内無線システムにおける端末電源投入時の位置登録シーケンスを示す説明図である。
【符号の説明】
１…制御装置、　２…基地局、　３…端末、　１１…通信プロトコル制御装置…、　１２…回線交換装置、　１３…ＥＥＰＲＯＭ
【図１】
2004023426.tif 000003
【図２】
2004023426.tif 000004
【図３】
2004023426.tif 000005
【図４】
2004023426.tif 000006